(57)【要約】【課題】冷媒の漏洩を検知したときに速やかに冷媒を回収できる冷凍サイクル装置および冷凍サイクル装置の制御方法を得る。【解決手段】本発明の冷凍サイクルは、室内熱交換器１０と膨張弁９との間を接続する配管である液管４、圧縮機５と室内熱交換器１０との間を接続する配管であり、液管４より大きい流路断面積を有するガス管３、圧縮機５の吸入側の配管に設けられる吸入弁１４、ガス管３に設けられるガス管弁１３、室内に設けられ冷媒の漏洩を検知する室内漏洩検知センサ１２、および室内漏洩検知センサ１２が冷媒の漏洩を検知した場合に、ガス管弁１３を閉じ、室内機１側の冷媒を液管４を介してガス管３に回収した後に吸入弁１４を閉じる制御装置を備えたものである。【選択図】図１
2011021838.tif 000002
【特許請求の範囲】
【請求項１】
冷媒を圧縮する圧縮機、前記冷媒と室内の空気とを熱交換する室内熱交換器、冷媒を膨張する膨張弁および前記冷媒と室外の空気とを熱交換する室外熱交換器が配管で接続され、前記室内熱交換器は室内に設置される室内機に設けられ、前記圧縮機、前記膨張弁および前記室外熱交換器は室外に設置される室外機に設けられる冷凍サイクル装置において、
前記室内熱交換器と前記膨張弁との間を接続する配管である液管、
前記圧縮機と前記室内熱交換器との間を接続する配管であり、前記液管より大きい流路断面積を有するガス管、
前記圧縮機の吸入側の配管に設けられる吸入弁、
前記ガス管に設けられるガス管弁、
前記室内に設けられ前記冷媒の漏洩を検知する室内漏洩検知センサ、
前記室内漏洩検知センサが前記冷媒の漏洩を検知した場合に、前記ガス管弁を閉じ、前記室内機側の冷媒を前記液管を介して前記ガス管に回収した後に前記吸入弁を閉じる制御装置を備えたことを特徴とする冷凍サイクル装置。
【請求項２】
冷媒を圧縮する圧縮機、前記冷媒と室内の空気とを熱交換する室内熱交換器、冷媒を膨張する膨張弁および前記冷媒と室外の空気とを熱交換する室外熱交換器が配管で接続され、前記室内熱交換器は室内に設置される室内機に設けられ、前記圧縮機、前記膨張弁および前記室外熱交換器は室外に設置される室外機に設けられる冷凍サイクル装置の制御方法において、
前記冷凍サイクル装置は、前記室内熱交換器と前記膨張弁との間を接続する配管である液管、
前記圧縮機と前記室内熱交換器との間を接続する配管であり、前記液管より大きい流路断面積を有するガス管、
前記圧縮機の吸入側の配管に設けられる吸入弁、
前記ガス管に設けられるガス管弁、
および前記室内に設けられ前記冷媒の漏洩を検知する室内漏洩検知センサを備え、
前記制御装置は、前記室内漏洩検知センサが前記冷媒の漏洩を検知した場合に、前記ガス管弁を閉じ、前記室内機側の冷媒を前記液管を介して前記ガス管に回収した後に前記吸入弁を閉じることを特徴とする冷凍サイクル装置の制御方法。
【請求項３】
冷凍サイクル装置は、圧縮機の吐出側の配管に設けられ、冷房運転の際には前記圧縮機の吐出側から室外熱交換器へ冷媒が流れるよう流路を構成し、暖房運転の際には前記圧縮機の吐出側から室内熱交換器へ前記冷媒が流れるよう流路を構成する四方弁を備え、
冷房運転の際に室内漏洩検知センサが冷媒の漏洩を検知した場合には、前記四方弁を暖房運転に切り替えることを特徴とする請求項２に記載の冷凍サイクル装置の制御方法。
【請求項４】
室内漏洩検知センサが冷媒の漏洩を検知した場合に膨張弁を全開にすることを特徴とする請求項２または３に記載の冷凍サイクル装置の制御方法。
【請求項５】
室内漏洩検知センサが冷媒の漏洩を検知した場合に、ガス管弁を閉じ、所定時間経過後に吸入弁を閉じることを特徴とする請求項２から４のいずれか１項に記載の冷凍サイクル装置の制御方法。
【請求項６】
冷凍サイクル装置は、圧縮機の吸入側の配管に圧力センサを備え、
室内漏洩検知センサが冷媒の漏洩を検知した場合に、ガス管弁を閉じ、前記圧力センサの値が所定値以下になったときに吸入弁を閉じることを特徴とする請求項２から４のいずれか１項に記載の冷凍サイクル装置の制御方法。
【請求項７】
冷凍サイクル装置は、圧縮機の吸入側の配管と液管とを接続するバイパス管および前記バイパス管に設けられるバイパス弁を備え、
室内漏洩検知センサが冷媒の漏洩を検知した場合に、前記バイパス弁を開けることを特徴とする請求項２から６のいずれか１項に記載の冷凍サイクル装置の制御方法。
【請求項８】
冷凍サイクル装置は、室外機に設けられ冷媒の漏洩を検知する室外漏洩検知センサを備え、
前記室外漏洩検知センサが前記冷媒の漏洩を検知した場合に、前記ガス管弁を閉じ、前記室内機側の冷媒を前記液管を介して前記ガス管に回収した後に前記吸入弁を閉じることを特徴とする請求項２から７のいずれか１項に記載の冷凍サイクル装置の制御方法。
【請求項９】
冷凍サイクル装置は、圧縮機の吐出側の配管に設けられ、冷房運転の際には圧縮機の吐出側から室外熱交換器へ冷媒が流れるよう流路を構成し、暖房運転の際には前記圧縮機の吐出側から室内熱交換器へ前記冷媒が流れるよう流路を構成する四方弁を備え、
冷房運転の際に室外漏洩検知センサが冷媒の漏洩を検知した場合には、圧縮機を停止し、ガス管弁を閉じてバイパス弁を開け、室外機側の冷媒をガス管に回収した後に前記四方弁を暖房運転に切り替えることを特徴とする請求項８に記載の冷凍サイクル装置の制御方法。
【発明の詳細な説明】
【技術分野】
【０００１】
この発明は、冷媒を用いて空調または給湯行う冷凍サイクル装置および冷凍サイクル装置の制御方法に関するものである。
【背景技術】
【０００２】
冷媒を用いて空調または給湯を行う冷凍サイクル装置においては、室内に冷媒が漏洩すると、居住環境が悪化するおそれがあり、室外に冷媒が漏洩すると、地球温暖化係数の高い冷媒を用いている場合には、当該冷媒が大気中に放出されることになるので、冷媒の漏洩量をできるだけ低減する必要がある。
【０００３】
従来の冷凍サイクル装置においては、室内ユニットと室外ユニットとをガス配管および液配管で冷媒回路を形成し、各配管途中にガス配管開閉弁および液配管開閉弁を設け、冷媒の漏洩を検知する漏洩検知装置が冷媒の漏洩を検知したときに液配管開閉弁を閉じ、冷媒をガス配管を介して室外ユニットに回収した後、ガス配管開閉弁を閉じるものがある（例えば、特許文献１）。
【先行技術文献】
【特許文献】
【０００４】
【特許文献１】特開平５−１１８７２０号公報（第４頁、図１）
【発明の概要】
【発明が解決しようとする課題】
【０００５】
上記のような冷凍サイクル装置においては、ガス管側に比べて液管側に多くの冷媒が滞留しているので、冷媒の漏洩を検知したときにガス管を介して冷媒を回収すると、速やかに回収できないという問題がある。
【０００６】
本発明は、かかる問題点を解決するためになされたものであり、冷媒の漏洩を検知したときに速やかに冷媒を回収できる冷凍サイクル装置を提供することを目的としている。
【課題を解決するための手段】
【０００７】
この発明による冷凍サイクル装置は、冷媒を圧縮する圧縮機、前記冷媒と室内の空気とを熱交換する室内熱交換器、冷媒を膨張する膨張弁および前記冷媒と室外の空気とを熱交換する室外熱交換器が配管で接続され、前記室内熱交換器は室内に設置される室内機に設けられ、前記圧縮機、前記膨張弁および前記室外熱交換器は室外に設置される室外機に設けられる冷凍サイクル装置において、前記室内熱交換器と前記膨張弁との間を接続する配管である液管、前記圧縮機と前記室内熱交換器との間を接続する配管であり、前記液管より大きい流路断面積を有するガス管、前記圧縮機の吸入側の配管に設けられる吸入弁、前記ガス管に設けられるガス管弁、前記室内に設けられ前記冷媒の漏洩を検知する室内漏洩検知センサ、前記室内漏洩検知センサが前記冷媒の漏洩を検知した場合に、前記ガス管弁を閉じ、前記室内機側の冷媒を前記液管を介して前記ガス管に回収した後に前記吸入弁を閉じる制御装置を備えたものである。
【０００８】
また、この発明による冷凍サイクル装置の制御方法は、冷媒を圧縮する圧縮機、前記冷媒と室内の空気とを熱交換する室内熱交換器、冷媒を膨張する膨張弁および前記冷媒と室外の空気とを熱交換する室外熱交換器が配管で接続され、前記室内熱交換器は室内に設置される室内機に設けられ、前記圧縮機、前記膨張弁および前記室外熱交換器は室外に設置される室外機に設けられる冷凍サイクル装置の制御方法において、前記冷凍サイクル装置は、前記室内熱交換器と前記膨張弁との間を接続する配管である液管、前記圧縮機と前記室内熱交換器との間を接続する配管であり、前記液管より大きい流路断面積を有するガス管、前記圧縮機の吸入側の配管に設けられる吸入弁、前記ガス管に設けられるガス管弁、および前記室内に設けられ前記冷媒の漏洩を検知する室内漏洩検知センサを備え、前記制御装置は、前記室内漏洩検知センサが前記冷媒の漏洩を検知した場合に、前記ガス管弁を閉じ、前記室内機側の冷媒を前記液管を介して前記ガス管に回収した後に前記吸入弁を閉じるものである。
【発明の効果】
【０００９】
この発明の冷凍サイクル装置および冷凍サイクル装置の制御方法によれば、冷媒の漏洩を検知したときに速やかに冷媒を回収できる。
【図面の簡単な説明】
【００１０】
【図１】この発明の実施の形態１による冷凍サイクル装置の構成を示す概略図である。
【図２】この発明の実施の形態２による冷凍サイクル装置の構成を示す概略図である。
【図３】この発明の実施の形態３による冷凍サイクル装置の構成を示す概略図である。
【図４】この発明の実施の形態４による冷凍サイクル装置の構成を示す概略図である。
【発明を実施するための形態】
【００１１】
実施の形態１．
図１は、この発明の実施の形態１による冷凍サイクル装置の構成を示す概略図である。図において、同一の符号を付したものは、同一またはこれに相当するものであり、このことは、明細書の全文において共通することである。
【００１２】
図１において、冷凍サイクル装置は、室内に設置される室内機１および室外に設置される室外機２を備えている。室内機１には、室内の空気と冷媒とを熱交換する室内熱交換器１０および室内熱交換器１０に室内の空気を送る室内ファン１１が設けられる。室外機２には、室外の空気と冷媒とを熱交換する室外熱交換器７、室外熱交換器７に室外の空気を送る室外ファン８、冷媒を圧縮する圧縮機５、冷媒を膨張する膨張弁９、および暖房運転と冷房運転とで流路を切り替える四方弁６が設けられる。図１の四方弁６において、実線は暖房運転の冷媒回路を示し、破線は冷房運転の冷媒回路を示す。
【００１３】
室内熱交換器１０、膨張弁９、室外熱交換器７、四方弁６および圧縮機５は、配管で接続され、冷媒回路を構成している。室内熱交換器１０と膨張弁９との間を接続する配管を液管４とし、室内熱交換器１０と圧縮機５との間を接続する配管をガス管３とし、冷媒回路の圧力損失を低減するためにガス管３の流路断面積（ここでは、直径）は、液管４の流路断面積（ここでは、直径）に比べて大きくなっている。また、冷凍サイクル装置は、ガス管３の途中に電磁開閉弁であるガス管弁１３を設け、圧縮機５の吸入側の配管に電磁開閉弁である吸入弁１４を設け、室内機１に冷媒の漏洩を検知する室内漏洩検知センサ１２を設けている。また、ガス管弁１３は、図１では室内機１側に設置しているが、回収する冷媒量に応じて必要な容積を確保できればよく、室内機１と室外機２との間に設けてもよい。また、通常運転中、ガス管弁１３および吸入弁１４は、開いた状態になっている。図１には示していないが、冷凍サイクル装置は、圧縮機５、四方弁６、ガス管弁１３、吸入弁１４、膨張弁９、室外ファン８、室内ファン１１および室内漏洩検知センサ１２に電気的に接続され、それぞれの機器を制御する制御装置を備えている。
【００１４】
図１に示す冷凍サイクル装置の通常時の運転動作について説明する。
まず、暖房運転の際の冷凍サイクル装置の動作について説明する。
圧縮機５で圧縮されたガス冷媒は、四方弁６を通り、実線で示すようにガス管３およびガス管弁１３を経由して、室内熱交換器１０に送られる。室内熱交換器１０に送られたガス冷媒は、空気と熱交換し、液化される。室内熱交換器１０で液化した冷媒は、液管４を経由して膨張弁９に送られ、膨張弁９で減圧される。膨張弁９で減圧され気液二相となった冷媒は、室外熱交換器７に送られ、空気と熱交換し、気化される。気化した冷媒は、四方弁６および吸入弁１４を通り圧縮機５に戻り、上記冷凍サイクルを繰り返す。
【００１５】
次に、冷房運転の際の冷凍サイクル装置の動作について説明する。
圧縮機５で圧縮されたガス冷媒は、四方弁６を通り、破線で示すように室外熱交換器７に送られる。室外熱交換器７に送られたガス冷媒は、空気と熱交換し、液化される。室外熱交換器７で液化した冷媒は、膨張弁９に送られ、膨張弁９で減圧される。膨張弁９で減圧され気液二相となった冷媒は、液管４を経由して室内熱交換器１０に送られ、空気と熱交換し、気化される。気化した冷媒は、ガス管弁１３、ガス管３および吸入弁１４を通り圧縮機５に戻り、上記冷凍サイクルを繰り返す。
【００１６】
以上に示すとおり、暖房運転の際には、室内熱交換器１０の膨張弁９側から液管４内に液冷媒が存在している。また、冷房運転の際には、室内熱交換器１０の膨張弁９側から液管４内に気液二相となった冷媒が存在している。一方、ガス管３には、暖房運転および冷房運転のいずれの場合もガス冷媒が存在しており、冷媒の物質量としては、暖房運転および冷房運転のいずれの場合もガス管３よりも液管４の方に多くの冷媒が存在している。
【００１７】
室内漏洩検知センサ１２が冷媒の漏洩を検知した場合の冷凍サイクル装置の動作について、以下に説明する。
（１−１）暖房運転の際、室内漏洩検知センサ１２が冷媒の漏洩を検知した場合
室内機１に設置された室内漏洩検知センサ１２によって冷媒の漏洩が検知されると、制御装置は、ガス管弁１３を閉として膨張弁９を全開とする。暖房運転の際に、室内熱交換器１０の下流から液管４内に存在している液冷媒は、膨張弁９、室外熱交換器７、吸入弁１４および圧縮機５を通り、ガス管３に移動する。室内機１側の冷媒を液管４を介してガス管３に回収し、制御装置が、圧縮機５の吸入側に設けられた圧力計からの信号によって、圧縮機５の吸入圧力が所定の値より低くなったと判断した場合、吸入弁１４を閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、冷媒がガス管弁１３と吸入弁１４との間、すなわちガス管３を主とする部分に回収される。
【００１８】
（１−２）冷房運転の際、室内漏洩検知センサ１２が冷媒の漏洩を検知した場合
室内機１に設置された室内漏洩検知センサ１２によって冷媒の漏洩が検知されると、制御装置は、圧縮機５を停止しガス管弁１３を閉とした後、四方弁６を暖房運転に切り替えて膨張弁９を全開にし、圧縮機５を運転する。冷房運転の際に、室内熱交換器１０の下流から液管４内に存在している気液二相の冷媒は、膨張弁９、室外熱交換器７、吸入弁１４および圧縮機５を通り、ガス管３に移動する。室内機１側の冷媒を液管４を介してガス管３に回収し、制御装置が、圧縮機５の吸入側に設けられた圧力計からの信号によって、圧縮機５の吸入圧力が所定の値より低くなったと判断した場合、吸入弁１４を閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、冷媒がガス管弁１３と吸入側電磁弁１４との間、すなわちガス管３を主とする部分に回収される。なお、圧縮機５を一旦停止したが、圧縮機５を停止せず、四方弁６を暖房運転に切り替えるだけでもよい。
【００１９】
本実施の形態に示す冷凍サイクル装置およびその制御方法では、液管４内に存在している液冷媒または気液二相の冷媒が膨張弁９を介してガス管３側に速やかに移動するので、室内機１の冷媒を速やかにガス管３に回収できる。したがって、ガス管３側に存在するガス冷媒よりも物質量の多い液管４側に存在する冷媒を速やかに回収できるので、回収動作中の漏洩冷媒量も低減できる効果もある。さらに、本実施の形態に示す冷凍サイクル装置およびその制御方法では、冷媒を液管４よりも流路断面積の大きいガス管３側に回収するため、より多くの冷媒をガス管３に回収することが可能である。
また、本実施の形態では、冷凍サイクル装置は、Ｒ４１０Ａ等の暖房運転の際に室内熱交換器１０（冷房運転の際に室外熱交換器７）で凝縮液化する冷媒を使用するとして記載した。二酸化炭素などの凝縮液化せずに超臨界状態となる冷媒でも、本実施の形態に示す冷凍サイクル装置は、ガス管３側に存在するガス冷媒よりも物質量の多い液管４側に存在する冷媒を速やかに回収できるので回収動作中の漏洩冷媒量も低減できる効果がある。
【００２０】
なお、本実施の形態では、圧縮機５の吸入側に設けられた圧力計からの信号によって、圧縮機５の吸入圧力に基づいて冷媒の回収等を判断したが、事前に実験で圧縮機５の吸入圧力が第１の所定値または第２の所定値になるまでの時間を測定し、当該所定の時間を経過した場合に、冷媒の回収等を判断してもよい。
また、本実施の形態では、四方弁６を設け、冷房運転と暖房運転とを切り替える冷凍サイクル装置を示したが、四方弁を設けずに暖房運転のみを行う冷凍サイクル装置においても、同様の構成および動作によって、本実施の形態に示す冷凍サイクル装置と同様の効果を奏する。
【００２１】
実施の形態２．
図２は、この発明の実施の形態２による冷凍サイクル装置の構成を示す概略図である。本実施の形態に示す冷凍サイクル装置は、室外機２にも制御装置に電気的に接続された室外漏洩検知センサ２２を設けており、その他の構成および機能は、実施の形態１に示す冷凍サイクル装置と同様である。したがって、この実施の形態２による冷凍サイクル装置の通常時の運転動作は、実施の形態１に示す冷凍サイクル装置と同様である。
室内漏洩検知センサ１２および室外漏洩検知センサ２２の両方が冷媒の漏洩を検知した場合の冷凍サイクル装置の動作について、以下に説明する。なお、室内漏洩検知センサ１２のみが冷媒の漏洩を検知した場合の冷凍サイクル装置の動作は、実施の形態１に示した冷凍サイクル装置の動作と同様である。
【００２２】
（２−１）暖房運転の際、室内漏洩検知センサ１２および室外漏洩検知センサ２２の両方が冷媒の漏洩を検知した場合
室内機１に設置された室内漏洩検知センサ１２および室外機２に設置された室外漏洩検知センサ２２によって冷媒の漏洩が検知されると、制御装置は、ガス管弁１３を閉として膨張弁９を全開とする。暖房運転の際には、室内熱交換器１０の下流から液管４内に存在している液冷媒は、膨張弁９、室外熱交換器７、吸入弁１４および圧縮機５を通り、ガス管３に移動する。室内機１側の冷媒を液管４を介してガス管３に回収し、制御装置が、圧縮機５の吸入側に設けられた圧力計からの信号によって、圧縮機５の吸入圧力が所定の値より低くなったと判断した場合、吸入弁１４を閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、冷媒がガス管弁１３と吸入弁１４との間、すなわちガス管３を主とする部分に回収される。
なお、暖房運転の際、室外漏洩検知センサ２２のみが冷媒の漏洩を検知した場合でも、上記動作で冷媒を回収できる。
【００２３】
（２−２）冷房運転の際、室内漏洩検知センサ１２および室外漏洩検知センサ２２の両方が冷媒の漏洩を検知した場合
室内機１に設置された室内漏洩検知センサ１２および室外機２に設置された室外漏洩検知センサ２２によって冷媒の漏洩が検知されると、制御装置は、圧縮機５を停止しガス管弁１３を閉とした後、四方弁６を暖房運転に切り替えて膨張弁９を全開にし、圧縮機５を運転する。冷房運転の際に、室内熱交換器１０の下流から液管４内に存在している気液二相の冷媒は、膨張弁９、室外熱交換器７、吸入弁１４および圧縮機５を通り、ガス管３に移動する。室内機１側の冷媒を液管４を介してガス管３に回収し、制御装置が、圧縮機５の吸入側に設けられた圧力計からの信号によって、圧縮機５の吸入圧力が所定の値より低くなったと判断した場合、吸入弁１４を閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、冷媒がガス管弁１３と吸入弁１４との間、すなわちガス管３を主とする部分に回収される。なお、圧縮機５を一旦停止したが、圧縮機５を停止せず、四方弁６を暖房運転に切り替えるだけでもよい。
なお、冷房運転の際、室外漏洩検知センサ２２のみが冷媒の漏洩を検知した場合でも、上記動作で冷媒を回収できる。
【００２４】
本実施の形態に示す冷凍サイクル装置およびその制御方法では、実施の形態１に示す冷凍サイクル装置およびその制御方法と同様の効果がある。また、本実施の形態に示す冷凍サイクル装置およびその制御方法では、室内漏洩検知センサ１２と室外漏洩検知センサ２２との両方が冷媒の漏洩を検知した場合、および室外漏洩検知センサ２２のみが冷媒の漏洩を検知した場合でも、液管４内に存在している液冷媒が膨張弁９を介してガス管３側に速やかに移動するので、室内漏洩検知センサ１２と室外漏洩検知センサ２２との両方が冷媒の漏洩を検知した場合、および室外漏洩検知センサ２２のみが冷媒の漏洩を検知した場合でも、室内機１の冷媒を速やかにガス管３に回収できる。また、本実施の形態に示す冷凍サイクル装置およびその制御方法では、ガス管３側に存在するガス冷媒よりも物質量の多い液管４側に存在する冷媒を速やかに回収できるので、回収動作中の漏洩冷媒量も低減できる効果もある。さらに、本実施の形態に示す冷凍サイクル装置およびその制御方法では、室内漏洩検知センサ１２と室外漏洩検知センサ２２との両方が冷媒の漏洩を検知した場合、および室外漏洩検知センサ２２のみが冷媒の漏洩を検知した場合でも、冷媒を液管４よりも流路断面積の大きいガス管３側に回収するため、より多くの冷媒をガス管３に回収することが可能である。
【００２５】
実施の形態３．
図３は、この発明の実施の形態３による冷凍サイクル装置の構成を示す概略図である。本実施の形態３に示す冷凍サイクル装置では、圧縮機５の吸入側の配管と液管４とを接続するバイパス管１６を設け、このバイパス管１６にバイパス弁１７を設けている。その他の構成および機能は、実施の形態１に示す冷凍サイクル装置と同様である。
【００２６】
図３において、冷凍サイクル装置は、圧縮機５の吸入側であって圧縮機５と吸入弁１４との間の配管と室内機１内の液管４とを接続するバイパス管１６を備え、バイパス管１６に電磁弁であるバイパス弁１７が設けられている。このバイパス弁１７は、図示しない制御装置と電気的に接続され、この制御装置に制御されている。
図３に示す冷凍サイクル装置の運転動作について説明する。
バイパス電磁弁１７は、通常時の運転中は閉となっており、この実施の形態３による冷凍サイクル装置の通常時の運転動作は、実施の形態１に示す冷凍サイクル装置の通常時の運転動作と同様である。
室内漏洩検知センサ１２が冷媒の漏洩を検知した場合の冷凍サイクル装置の動作について、以下に説明する。
【００２７】
（３−１）暖房運転の際、室内漏洩検知センサ１２が冷媒の漏洩を検知した場合
室内機１に設置された室内漏洩検知センサ１２によって冷媒の漏洩が検知されると、制御装置は、ガス管弁１３を閉としてバイパス弁１７を開とする。暖房運転の際には、室内熱交換器１０の下流から液管４内に存在している液冷媒は、バイパス弁１７を設けたバイパス管１６および圧縮機５を通り、ガス管３に移動する。また、吸入弁１４から膨張弁９までの配管に存在している冷媒は、吸入弁１４を介してもガス管３に移動する。室内機１側の冷媒を液管４を介してガス管３に回収し、制御装置が、圧縮機５の吸入側に設けられた圧力計からの信号によって、圧縮機５の吸入圧力が第１の所定値より低くなったと判断した場合、バイパス弁１７および吸入弁１４を閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、冷媒がガス管弁１３と吸入弁１４との間、すなわちガス管３を主とする部分に回収される。
【００２８】
（３−２）冷房運転の際、室内漏洩検知センサ１２が冷媒の漏洩を検知した場合
室内機１に設置された室内漏洩検知センサ１２によって冷媒の漏洩が検知されると、制御装置は、圧縮機５を停止しガス管弁１３を閉、バイパス弁１７を開とし、膨張弁９を全開とする。冷房運転の際に、室外熱交換器７の下流から膨張弁９に存在している液冷媒は、圧力差によって膨張弁９とバイパス弁１７を設けたバイパス管１６とを介して圧縮機５の吸入側に速やかに移動する。制御装置は、圧縮機５の吸入側に設けられた圧力計からの信号によって、圧縮機５の吸入圧力が第２の所定の値より高くなったと判断した場合、四方弁６を暖房運転に切り替えて圧縮機５を運転する。なお、圧縮機５を一旦停止したが、圧縮機５を停止せず、四方弁６を暖房運転に切り替えるだけでもよい。
【００２９】
室内機１側の冷媒を液管４を介してガス管３に回収し、制御装置が、圧縮機５の吸入側に設けられた圧力計からの信号によって、圧縮機５の吸入圧力が第１の所定値より低くなったと判断した場合、バイパス弁１７と吸入弁１４とを閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、冷媒がガス管弁１３と吸入弁１４との間、すなわちガス管３を主とする部分に回収される。
【００３０】
本実施の形態に示す冷凍サイクル装置およびその制御方法では、暖房運転の際に室内熱交換器１０の下流から液管４内に存在している液冷媒がバイパス管１６を介してガス管３側に速やかに移動するので、実施の形態１に示す冷凍サイクル装置およびその制御方法よりも室内機１の冷媒を速やかに回収できる。したがって、ガス管３側に存在するガス冷媒よりも物質量の多い液管４側に存在する冷媒を速やかに回収できるので、回収動作中の漏洩冷媒量も低減できる効果もある。また、本実施の形態に示す冷凍サイクル装置およびその制御方法では、冷房運転の際に室外熱交換器７の下流から膨張弁９内に存在している液冷媒がバイパス電磁弁１７を介してガス管３側に速やかに移動するので、実施の形態１に示す冷凍サイクル装置およびその制御方法よりも室外機２の冷媒を速やかに回収できる。したがって、ガス管３側に存在するガス冷媒よりも物質量の多い液管４側に存在する冷媒をより速やかに回収できるので、回収動作中の漏洩冷媒量もより低減できる効果もある。さらに、本実施の形態に示す冷凍サイクル装置およびその制御方法では、冷媒を液管４よりも流路断面積の大きいガス管３側に回収するため、より多くの冷媒をガス管３に回収することが可能である。
【００３１】
なお、本実施の形態では、圧縮機５の吸入側に設けられた圧力計からの信号によって、圧縮機５の吸入圧力に基づいて冷媒の回収等を判断したが、事前に実験で圧縮機５の吸入圧力が第１の所定値または第２の所定値になるまでの時間を測定し、当該所定の時間を経過した場合に、冷媒の回収等を判断してもよい。また、圧縮機５の吸入圧力が第１の所定値および第２の所定値は、同じ値であってもよいし、異なる値であってもよい。さらに、冷媒の回収等を一方は圧力計からの信号によって判断し、他方は所定の時間の経過によって判断してもよい。
【００３２】
実施の形態４．
図４は、この発明の実施の形態４による冷凍サイクル装置の構成を示す概略図である。本実施の形態に示す冷凍サイクル装置は、室外機２にも制御装置に電気的に接続された室外漏洩検知センサ２２を設けており、その他の構成および機能は、実施の形態３に示す冷凍サイクル装置と同様である。
図４に示す冷凍サイクル装置の運転動作について説明する。
バイパス電磁弁１７は、通常時の運転中は閉となっており、冷凍サイクル装置の通常時の運転動作は、実施の形態１に示す冷凍サイクル装置の通常時の運転動作と同様である。
室内漏洩検知センサ１２および室外漏洩検知センサ２２の両方が冷媒の漏洩を検知した場合の冷凍サイクル装置の動作について、以下に説明する。なお、室内漏洩検知センサ１２のみが冷媒の漏洩を検知した場合の冷凍サイクル装置の動作は、実施の形態３に示した冷凍サイクル装置の動作と同様である。
【００３３】
（４−１）暖房運転の際に、室内漏洩検知センサ１２および室外漏洩検知センサ２２の両方が冷媒の漏洩を検知した場合
室内機１に設置された室内漏洩検知センサ１２および室外機２に設置された室外漏洩検知センサ２２によって冷媒の漏洩が検知されると、制御装置は、ガス管弁１３を閉としてバイパス電磁弁１７を開とする。暖房運転の際には、室内熱交換器１０の下流から液管４内に存在している液冷媒は、バイパス弁１７および圧縮機５を通り、ガス管３に移動する。また、吸入弁１４から膨張弁９までの配管に存在している冷媒は、室外熱交換器７および吸入弁１４を介してもガス管３に移動する。室内機１側の冷媒を液管４を介してガス管３に回収し、制御装置が、圧縮機５の吸入圧力が所定の値より低くなったと判断した場合、バイパス弁１７および吸入弁１４を閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、ガス管弁１３と吸入弁１４との間、すなわちガス管３を主とする部分に回収される。
なお、暖房運転の際、室外漏洩検知センサ２２のみが冷媒の漏洩を検知した場合でも、上記動作で冷媒を回収できる。
【００３４】
（４−２）冷房運転の際、室内漏洩検知センサ１２および室外漏洩検知センサ２２の両方が冷媒の漏洩を検知した場合
室内機１に設置された室内漏洩検知センサ１２および室外機２に設置された室外漏洩検知センサ２２によって冷媒の漏洩が検知されると、制御装置は、圧縮機５を停止しガス管弁１３を閉、バイパス電磁弁１７と開とし、膨張弁９を全開とする。冷房運転の際に室外熱交換器７の下流から膨張弁９に存在している液冷媒は、圧力差によって膨張弁９とバイパス電磁弁１７を設けたバイパス管１６とを介して圧縮機５の吸入側に速やかに移動する。制御装置は、圧縮機５の吸入側に設けられた圧力計からの信号によって、圧縮機５の吸入圧力が第２の所定値より高くなったと判断した場合、四方弁６を暖房運転に切り替えて圧縮機５を運転する。なお、蒸気は圧縮機５を一旦停止したが、圧縮機５を停止せず、四方弁６を暖房運転に切り替えるだけでもよい。
【００３５】
室内機１側の冷媒を液管４を介してガス管３に回収し、制御装置が、圧縮機５の吸入側に設けられた圧力計からの信号によって、圧縮機５の吸入圧力が第１の所定値より低くなったと判断した場合、バイパス弁１７と吸入弁１４とを閉とする。以上により、吸入弁１４の四方弁６側からガス管弁１３の室内熱交換器１０までの間（吸入弁１４−四方弁６−室外熱交換器７−膨張弁９−室内熱交換器１０−ガス管弁１３の間）の冷媒のほとんどがガス管弁１３と吸入弁１４との間に移動し、冷媒がガス管弁１３と吸入弁１４との間、すなわちガス管３を主とする部分に回収される。
なお、冷房運転の際、室外漏洩検知センサ２２のみが冷媒の漏洩を検知した場合でも、上記動作で冷媒を回収できる。
【００３６】
本実施の形態に示す冷凍サイクル装置およびその制御方法では、実施の形態３に示す冷凍サイクル装置およびその制御方法と同様の効果がある。また、本実施の形態に示す冷凍サイクル装置およびその制御方法では、室内漏洩検知センサ１２と室外漏洩検知センサ２２との両方が冷媒の漏洩を検知した場合、および室外漏洩検知センサ２２のみが冷媒の漏洩を検知した場合でも、暖房運転の際に室内熱交換器１０の下流から液管４内に存在している液冷媒がバイパス管１６を介してガス管３側に速やかに移動するので、実施の形態２に示す冷凍サイクル装置およびその制御方法よりも室内機１の冷媒を速やかに回収できる。したがって、ガス管３側に存在するガス冷媒よりも物質量の多い液管４側に存在する冷媒を速やかに回収できるので、回収動作中の漏洩冷媒量も低減できる効果もある。また、本実施の形態に示す冷凍サイクル装置およびその制御方法では、冷房運転の際に室外熱交換器７の下流から膨張弁９内に存在している液冷媒がバイパス電磁弁１７を介してガス管３側に速やかに移動するので、実施の形態２に示す冷凍サイクル装置よりも室外機２の冷媒を速やかに回収できる。したがって、ガス管３側に存在するガス冷媒よりも物質量の多い液管４側に存在する冷媒をより速やかに回収できるので、回収動作中の漏洩冷媒量もより低減できる効果もある。さらに、本実施の形態に示す冷凍サイクル装置およびその制御方法では、冷媒を液管４よりも流路断面積の大きいガス管３側に回収するため、より多くの冷媒をガス管３に回収することが可能である。
【００３７】
上記実施の形態１から４に示す冷凍サイクル装置に使用される室内漏洩検知センサ１２および室外漏洩検知センサ２２は、冷媒ガスを直接検出するものに限らず、酸素濃度を測定し、この酸素濃度に基づいて冷媒の漏洩を検知するものでもよい。また、室内漏洩検知センサ１２および室外漏洩検知センサ２２は、運転中の冷媒温度や圧力、圧縮機の入力などから冷媒漏れを間接的に検出する手段であっても良い。さらに、室内漏洩検知センサ１２を室内機１に設けたが、必ずしも室内機１に設ける必要はなく、室内に設ければよい。
【００３８】
また、上記本実施の形態１から４に示す冷凍サイクル装置には、フロン系冷媒、または二酸化炭素もしくは炭化水素等の自然冷媒などが使用される。これら冷媒の中でも、漏洩した場合に環境に与える負荷の大きな例えば温暖化係数の大きな冷媒、可燃性のある冷媒などの漏洩対策に特に有効である。
【符号の説明】
【００３９】
１  室内機、２  室外機、３  ガス管、４  液管、５  圧縮機、６  四方弁、７  室外熱交換器、８  室外ファン、９  膨張弁、１０  室内熱交換器、１１  室内ファン、１２  室内漏洩検知センサ、１３  ガス管弁、１４  吸入弁、１６  バイパス管、１７  バイパス弁、２２  室外漏洩検知センサ。
【図１】
2011021838.tif 000003
【図２】
2011021838.tif 000004
【図３】
2011021838.tif 000005
【図４】
2011021838.tif 000006